(57)【特許請求の範囲】
【請求項１】
互いに異なる複数の上流側信号経路から入力される複数のトリビュタリ信号を多重化して一定周期毎の多重化信号として送信する送信装置と、受信した多重化信号を複数のトリビュタリ信号に分離してそれぞれのトリビュタリ信号を互いに異なる複数の下流側信号経路に出力する受信装置と、上記多重化信号を上記送信装置から上記受信装置へ電送する主信号経路とを備えるトリビュタリ信号の多重送信システムにおいて、
上記送信装置には、上記上流側信号経路と同数設けられ、上流側信号経路毎に互いに異なる識別コードおよびトリビュタリ信号の１送信単位を示すフレーム情報をそれぞれのトリビュタリ信号に付加する送信側トリビュタリ回路と、一定周期毎に多重化信号を上記主信号経路に出力するとともに、この複数の送信側トリビュタリ回路の出力を予め定めた一定の順序で当該多重化信号に多重化する多重化回路とを設け、
上記受信装置には、多重化信号に多重化されるトリビュタリ信号と同数のトリビュタリ信号を分離生成する分離回路と、１つの多重化信号に多重化されるトリビュタリ信号と同数設けられ、上記分離回路から出力されるそれぞれのトリビュタリ信号をそれぞれの下流側送出経路に出力するとともに少なくとも１つが上記フレーム情報を検出し、このフレーム情報に基づいてその識別コードを判断する受信側トリビュタリ回路と、上記分離回路と当該受信側トリビュタリ回路との間に設けられ、上記１乃至複数の受信側トリビュタリ回路の判断結果に基づいて、分離回路から出力される各トリビュタリ信号の出力先を、多重化信号に多重化されるトリビュタリ信号と同数を単位としてその分割順を維持したまま上記複数の受信側トリビュタリ回路の中でシフト切り替えする分配回路とを備え、前記分配回路は前記判別結果に基づいて複数のシフト量を生成する位相差識別回路と、この複数のシフト量の中から最も多く一致するシフト量を抽出する位相差判定回路と、この抽出したシフト量だけ切り替える切替回路とからなることを特徴とするトリビュタリ信号の多重送信システム。
【請求項２】
分配回路は、複数のシフト量の中において最も一致する値が複数存在する場合には切り替えないことを特徴とする請求項１記載のトリビュタリ信号の多重送信システム。
【請求項３】
分配回路は、複数のシフト量が過半数において一致しない場合には切り替えないことを特徴とする請求項１記載のトリビュタリ信号の多重送信システム。
【請求項４】
分配回路は、全てのシフト量が一致しない場合には切り替えないことを特徴とする請求項１記載のトリビュタリ信号の多重送信システム。
【請求項５】
分配回路は、抽出無効信号を出力したもののシフト量を除いてシフト量の抽出を行うことを特徴とする請求項２から請求項４のうちのいずれか１項記載のトリビュタリ信号の多重送信システム。
【請求項６】
分配回路は、抽出無効信号を出力するものが過半数を超えたときは切り替えないことを特徴とする請求項１記載のトリビュタリ信号の多重送信システム。
【請求項７】
分配回路は、抽出無効信号を出力するものが存在するときは切り替えないことを特徴とする請求項１記載のトリビュタリ信号の多重送信システム。
【請求項８】
識別コードを判断する１乃至複数の受信側トリビュタリ回路はそれぞれ、トリビュタリ信号から識別コードを抽出するコード抽出回路と、共通する１つの識別コードと当該コード抽出回路が抽出した識別コードとを比較して一致／不一致の判別結果を出力するコード一致検出回路とを備え、分配回路は、この１乃至複数の一致／不一致の判別結果に基づいてトリビュタリ信号の出力先を切り替えることを特徴とする請求項１記載のトリビュタリ信号の多重送信システム。
【請求項９】
識別コードを判断する１乃至複数の受信側トリビュタリ回路はそれぞれ、トリビュタリ信号から識別コードを抽出するコード抽出回路を備え、分配回路は、この１乃至複数の抽出された識別コードとそれを出力した受信側トリビュタリ回路の識別コードとを比較し、その差に応じてトリビュタリ信号の出力先を切り替えることを特徴とする請求項１記載のトリビュタリ信号の多重送信システム。
【請求項１０】
識別コードを判断する１乃至複数の受信側トリビュタリ回路はそれぞれ、トリビュタリ信号から識別コードを抽出するコード抽出回路と、このコード抽出回路が抽出した識別コードと自トリビュタリに対して予め定められた識別コードとを比較してその差を判別結果として出力するコード差判別回路とを備え、分配回路は、このコード差に応じてトリビュタリ信号の出力先を切り替えることを特徴とする請求項１記載のトリビュタリ信号の多重送信システム。
【請求項１１】
コード抽出回路は、分配回路からトリビュタリ信号として入力される信号からフレーム情報を識別することができない場合には抽出無効信号を出力し、分配回路はこの抽出無効信号を出力した受信側トリビュタリ回路の識別コードの判別結果を無視して切り替えを行うことを特徴とする請求項８記載のトリビュタリ信号の多重送信システム。
【請求項１２】
送信側トリビュタリ回路は、識別コードやフレーム情報とともに識別コードの誤り検出符号あるいは誤り訂正符号を付加し、コード抽出回路は、この誤り検出符号あるいは誤り訂正符号に基づいて識別コードに誤りがある場合には抽出無効信号を出力し、分配回路はこの抽出無効信号を出力した受信側トリビュタリ回路の識別コードの判別結果を無視して切り替えを行うことを特徴とする請求項８記載のトリビュタリ信号の多重送信システム。
【発明の詳細な説明】
【０００１】
【発明の属する技術分野】
この発明は、複数の上流側信号経路と、それぞれの上流側信号経路に対応して設けられた複数の下流側信号経路との間に配設され、これら複数の信号経路間を伝送される複数のトリビュタリ信号を多重化して１つの信号経路にて伝送するトリビュタリ信号の多重送信システムおよび多重送信方法に係り、特に、現在ＡＴＭ（Ａｓｙｎｃｈｒｏｎｏｕｓ  Ｔｒａｎｓｆｅｒ  Ｍｏｄｅ）網において網ノード間インタフェース（ＮＮＩ）として利用されているバーチャルコンテナ多重化方式をベースとした同期網インタフェース（ＳＤＨ：ＳｙｎｃｈｒｏｎｏｕｓＤｉｇｉｔａｌ  Ｈｉｅｒａｒｃｈｙ）システムよりも伝送速度の高速化が可能であり、光ケーブルを用いた国家間ノードインタフェースなどのＡＴＭ網のハイエンドとなる網ノード間インタフェースにおいて好適に利用することができるトリビュタリ信号の多重送信システムおよび多重送信方法に関するものである。
【０００２】
【従来の技術】
図２９は従来のバーチャルコンテナ多重化方式をベースとした同期網インタフェースシステムの構成を示すブロック図である。図において、１は複数の上流側送信経路から入力される複数のトリビュタリ信号を多重化して出力する送信装置、２は多重化信号を複数のトリビュタリ信号に分割して複数の下流側信号経路に出力する受信装置、３はこの多重化信号を伝送する光ケーブルである。
【０００３】
また、送信装置１において、３９はそれぞれ上流側送信経路に１対１対応で設けられた送信側トリビュタリ回路、４０はこの複数のトリビュタリ信号を多重化して情報領域を生成する多重化回路、４１はこの情報領域に各トリビュタリ信号の送信先などの情報を含んだセクションオーバヘッドＳＯＨを付加し、その後これを光ケーブル３に送出するフレーム生成回路である。受信装置２において、４２は当該フレームを同期して検出し、上記セクションオーバヘッドＳＯＨを解読して位相情報などとして出力するフレーム識別回路、４３はこの位相情報などに基づいて上記情報領域から複数のトリビュタリ信号を分離生成する分離回路、４４はそれぞれ分離回路により適当にトリビュタリ信号が分配される受信側トリビュタリ回路である。
【０００４】
図３０はこのような従来の同期網インタフェースシステムで利用されているＳＴＭ−Ｎフレームの構成を示す説明図である。このＳＴＭ−Ｎフレームは、Ｎ個のＡＵＧを多重化する方式として、ＩＴＵ−Ｔ勧告Ｇ．７０７〜７０９（電信電話技術委員会（ＴＴＣ）標準第３巻第１分冊「網間インタフェース」網間伝送方式（第６版）の図３−１／ＪＴ−Ｇ７０９）において勧告されたものである。図において、４５はそれぞれトリビュタリ信号としての管理ユニットグループＡＵＧ、４６はＳＴＭ−Ｎフレームである。また、４７は情報領域、４８はセクションオーバヘッドＳＯＨ、４９はＡＵポインタである。上記勧告では複数の管理ユニットグループＡＵＧのデータはインターリーブ処理するように指定されている。
【０００５】
次に動作について説明する。
フレーム生成回路４１とフレーム識別回路４２が所定の周期毎に多重化信号のフレームを送受信している状態で、複数の送信側トリビュタリ回路３９，・・・，３９に複数のトリビュタリ信号が入力されると、多重化回路４０はこの複数のトリビュタリ信号を多重化して情報領域を生成し、フレーム生成回路４１ではこの情報領域に上記セクションオーバヘッドＳＯＨを付加したものを１フレームに重畳して送信する。
【０００６】
フレーム識別回路４２は、フレームを受信するとその情報領域を分離回路４３に出力するとともにセクションオーバヘッドＳＯＨ領域を解読して位相情報などを生成して出力する。分離回路４３はこの位相情報に基づいて情報領域を分離して複数のトリビュタリ信号を再生し、各トリビュタリ信号を上記位相情報に示された各受信側トリビュタリ回路４４，・・・，４４に出力する。各受信側トリビュタリ回路４４，・・・，４４はそれぞれのトリビュタリ信号をそれぞれの下流側信号経路に出力する。
【０００７】
これにより、従来の同期網インタフェースシステムでは、各上流側信号経路のトリビュタリ信号を対応する各下流側信号経路に誤ることなく伝送することができる。
【０００８】
【発明が解決しようとする課題】
従来の同期網インタフェースシステムは以上のように構成されているので、複数のトリビュタリ信号を多重化して情報領域を生成したあと、ＡＵポインタを含むセクションオーバヘッドＳＯＨを生成してこの情報領域に付加させなければならず、しかも、これにより形成される多重化信号は互いにインターリーブ処理されて主信号経路に送出されるので、このセクションオーバヘッドＳＯＨを生成してこの情報領域に付加するまでの処理を非常に高速に処理しなければならない。
【０００９】
その結果、高速に多量の情報を伝送する必要がある光ケーブル３を用いた国家間ノードインタフェースなどのＡＴＭ網のハイエンドとなる網ノード間インタフェースにおいては、各トリビュタリ信号自体のビットレートが高く、しかも、このようにビットレートが高い多数のトリビュタリ信号を多重化することになるので、この多重化回路４０や分離回路４３の実現が極めて困難であり、また実現できたとしても莫大な電力を消費することなってしまうなどの課題があった。逆にいえば、この多重化回路４０や分離回路４３の動作速度によって光ケーブル３における伝送速度は制限されてしまうことになり、元来この光ケーブル３において伝送可能な速度で信号の伝送を行うことができないなどの課題があった。
【００１０】
この発明は上記のような課題を解決するためになされたもので、莫大な電力を消費してしまったり主信号経路の伝送速度を阻害してしまったりすることなく、複数の上流側信号経路からの複数のトリビュタリ信号をそれぞれに対応する下流側信号経路に送信することができ、ひいては光ケーブルを用いた国家間ノードインタフェースなどのＡＴＭ網のハイエンドとなる網ノード間インタフェースにおいて好適に利用することができるトリビュタリ信号の多重送信システムおよび多重送信方法を得ることを目的とする。
【００１１】
【課題を解決するための手段】
この発明に係るトリビュタリ信号の多重送信システムは、互いに異なる複数の上流側信号経路から入力される複数のトリビュタリ信号を多重化して一定周期毎の多重化信号として送信する送信装置と、受信した多重化信号を複数のトリビュタリ信号に分離してそれぞれのトリビュタリ信号を互いに異なる複数の下流側信号経路に出力する受信装置と、上記多重化信号を上記送信装置から上記受信装置へ電送する主信号経路とを備えるトリビュタリ信号の多重送信システムにおいて、上記送信装置には、上記上流側信号経路と同数設けられ、上流側信号経路毎に互いに異なる識別コードおよびトリビュタリ信号の１送信単位を示すフレーム情報をそれぞれのトリビュタリ信号に付加する送信側トリビュタリ回路と、一定周期毎に多重化信号を上記主信号経路に出力するとともに、この複数の送信側トリビュタリ回路の出力を当該多重化信号に多重化する多重化回路とを設け、上記受信装置には、多重化信号に多重化されるトリビュタリ信号と同数のトリビュタリ信号を分離生成する分離回路と、１つの多重化信号に多重化されるトリビュタリ信号と同数設けられ、上記分離回路から出力されるそれぞれのトリビュタリ信号をそれぞれの下流側送出経路に出力するとともに少なくとも１つが上記フレーム情報を検出し、このフレーム情報に基づいてその識別コードを判断する受信側トリビュタリ回路と、上記分離回路と当該受信側トリビュタリ回路との間に設けられ、上記１乃至複数の受信側トリビュタリ回路の判断結果に基づいて、分離回路から出力される各トリビュタリ信号の出力先を、多重化信号に多重化されるトリビュタリ信号と同数を単位として上記複数の受信側トリビュタリ回路の中で切り替える分配回路とを備えたものである。
【００１２】
この発明に係るトリビュタリ信号の多重送信システムは、多重化回路は複数の送信側トリビュタリ回路から入力される複数のトリビュタリ信号を予め定めた一定の順序で送出するとともに、分配回路は各トリビュタリ信号の出力先をその分割順を維持したまま上記複数のトリビュタリ回路の間でシフト切り替えするものである。
【００１３】
この発明に係るトリビュタリ信号の多重送信システムは、識別コードを判断する１乃至複数の受信側トリビュタリ回路はそれぞれ、トリビュタリ信号から識別コードを抽出するコード抽出回路と、共通する１つの識別コードと当該コード抽出回路が抽出した識別コードとを比較して一致／不一致の判別結果を出力するコード一致検出回路とを備え、分配回路は、この１乃至複数の一致／不一致の判別結果に基づいてトリビュタリ信号の出力先を切り替えるものである。
【００１４】
この発明に係るトリビュタリ信号の多重送信システムは、識別コードを判断する１乃至複数の受信側トリビュタリ回路はそれぞれ、トリビュタリ信号から識別コードを抽出するコード抽出回路を備え、分配回路は、この１乃至複数の抽出された識別コードとそれを出力した受信側トリビュタリ回路の識別コードとを比較し、その差に応じてトリビュタリ信号の出力先を切り替えるものである。
【００１５】
この発明に係るトリビュタリ信号の多重送信システムは、識別コードを判断する１乃至複数の受信側トリビュタリ回路はそれぞれ、トリビュタリ信号から識別コードを抽出するコード抽出回路と、このコード抽出回路が抽出した識別コードと自トリビュタリに対して予め定められた識別コードとを比較してその差を判別結果として出力するコード差判別回路とを備え、分配回路は、このコード差に応じてトリビュタリ信号の出力先を切り替えるものである。
【００１７】
この発明に係るトリビュタリ信号の多重送信システムは、コード抽出回路が、分配回路からトリビュタリ信号として入力される信号からフレーム情報を識別することができない場合には抽出無効信号を出力し、分配回路はこの抽出無効信号を出力した受信側トリビュタリ回路の識別コードの判別結果を無視して切り替えを行うものである。
【００１８】
この発明に係るトリビュタリ信号の多重送信システムは、送信側トリビュタリ回路が、識別コードやフレーム情報とともに識別コードの誤り検出符号あるいは誤り訂正符号を付加し、コード抽出回路は、この誤り検出符号あるいは誤り訂正符号に基づいて識別コードに誤りがある場合には抽出無効信号を出力し、分配回路はこの抽出無効信号を出力した受信側トリビュタリ回路の識別コードの判別結果を無視して切り替えを行うものである。
【００２２】
この発明に係るトリビュタリ信号の多重送信システムは、複数の受信側トリビュタリ回路の判別結果に基づいてトリビュタリ信号の出力先を切り替える分配回路は、それぞれの判別結果に基づいて複数のシフト量を生成する位相差識別回路と、この複数のシフト量の中から最も多く一致する値のシフト量を抽出する位相差判定回路と、この抽出したシフト量だけ切り替える切替回路とからなるものである。
【００２３】
この発明に係るトリビュタリ信号の多重送信システムは、分配回路は、複数のシフト量の中において最も一致する値が複数存在する場合には切り替えないものである。
【００２４】
この発明に係るトリビュタリ信号の多重送信システムは、分配回路は、複数のシフト量が過半数において一致しない場合には切り替えないものである。
【００２５】
この発明に係るトリビュタリ信号の多重送信システムは、分配回路は、全てのシフト量が一致しない場合には切り替えないものである。
【００２６】
この発明に係るトリビュタリ信号の多重送信システムは、分配回路は、抽出無効信号を出力したもののシフト量を除いてシフト量の抽出を行うものである。
【００２７】
この発明に係るトリビュタリ信号の多重送信システムは、分配回路は、抽出無効信号を出力するものが過半数を超えたときは切り替えないものである。
【００２８】
この発明に係るトリビュタリ信号の多重送信システムは、分配回路は、抽出無効信号を出力するものが存在するときは切り替えないものである。
【００３０】
【発明の実施の形態】
以下、この発明の実施の一形態を説明する。
実施の形態１．
図１はこの発明の実施の形態１によるトリビュタリ信号の多重送信システムの構成を示すブロック図である。図において、１は複数の不図示の上流側送信経路が接続され、これら複数の上流側送信経路から入力される複数のトリビュタリ信号を多重化して多重化信号として出力する送信装置、２は上流側送信経路と同数の不図示の下流側送信経路が接続され、この多重化信号から複数のトリビュタリ信号を再生し、各トリビュタリ信号を予め定められた各下流側信号経路に出力する受信装置、３は送信装置１と受信装置２との間に接続された光ケーブル（主信号経路）である。
【００３１】
送信装置１において、４はそれぞれ上流側送信経路に１対１対応で設けられ、当該上流側信号経路から入力されるトリビュタリ信号に識別コードおよびフレーム情報を重畳して出力する送信側トリビュタリ回路、５はこの全ての送信側トリビュタリ回路４，・・・，４の出力が入力され、一定周期毎に多重化信号を上記光ケーブル３に出力するとともに、この複数の送信側トリビュタリ回路４，・・・，４の出力を当該多重化信号に多重化する多重化回路である。
【００３２】
また、上記識別コードは各上流側信号経路毎に互いに異なる値に設定されており、上記フレーム情報は全てのトリビュタリ信号において共通する唯一のデータパターンとなっている。なお、このトリビュタリ信号にこれらの情報を付加するにあたって、トリビュタリ信号の所定の空き領域にこれらの情報を割り付ける場合には、識別コードの値に拘わらず全てのトリビュタリ信号において共通の位置となるように、フレーム情報に対する識別コードの位相（相対重畳位置）を固定的な位置とするのが好ましい。また、上記識別コードは、各上流側信号経路に対応づけて設けると説明しているが、特にこの実施の形態では、上流側信号経路と下流側信号経路とも１対１対応に設けられているので、各識別コードは各下流側信号経路にも１対１対応で設けられていることになる。
【００３３】
受信装置２において、６は多重化信号内の上記フレーム情報を検出し、このフレーム情報毎に多重化信号を分離して、送信装置１において多重化されたトリビュタリ信号と同数のトリビュタリ信号を分離生成する分離回路、７はそれぞれ各下流側信号経路に１対１対応に設けられ、上記それぞれのトリビュタリ信号をそれぞれの下流側信号経路に出力する受信側トリビュタリ回路、８は１つの受信側トリビュタリ回路７内に設けられ、その受信側トリビュタリ回路７に分配されたトリビュタリ信号内の識別コードと、その受信側トリビュタリ回路７の下流側信号経路に予め対応づけられた識別コードとを比較し、これらが一致している場合には一致信号を出力するコード識別回路、９はこの一致信号が入力され、一致信号が出力されていない場合には予め設定された所定値にて分離回路６の複数の出力と複数の受信側トリビュタリ回路７，・・・，７との接続関係をシフト切り替えする分配回路である。
【００３４】
また、この実施の形態１では、識別コードの値の順番（昇順あるいは降順）にて重畳して多重化信号を生成し、分離回路６および分配回路９によってきまる多重化信号の受信側トリビュタリ回路７，・・・，７への分配順は、上記識別コードの値の順番となるように設定した。従って、１つのトリビュタリ信号の分配先が識別コードが一致する所定の受信側トリビュタリ回路７に設定されると、他のトリビュタリ信号の分配先もそれぞれの所定の受信側トリビュタリ回路７，・・・，７に設定されることになる。
【００３５】
図２はこの発明の実施の形態１によるコード識別回路８の内部構成を示す詳細なブロック図である。図において、１０はトリビュタリ信号が入力され、このトリビュタリ信号内の識別コードを抽出するコード抽出回路、１１はこの抽出された識別コードが入力され、これが当該コード識別回路８が設けられた受信側トリビュタリ回路７に対応する識別コードと一致するか否かを判断し、その判断結果を一致信号として出力するコード一致検出回路である。
【００３６】
図３はこの発明の実施の形態１による分配回路９の内部構成を示す詳細なブロック図である。図において、１２は上記一致信号が入力され、一致している場合には「０」のシフト量信号を出力し、不一致の場合には予め設定された値のシフト量信号を出力するシフト数制御回路（切替回路）、１３はこのシフト量信号が入力されるとともに上記分離回路６からの複数のトリビュタリ信号が入力され、このシフト量信号が入力される度にその値だけ分離回路６からの複数のトリビュタリ信号をシフトして複数の受信側トリビュタリ回路７，・・・，７へ出力する方路設定回路（切替回路）である。
【００３７】
次に動作について説明する。
多重化回路５は一定の周期毎に多重化信号を光ケーブル３に出力し、分離回路６もこの周期に同期して多重化信号を受信する。
【００３８】
このような状態で各送信側トリビュタリ回路４，・・・，４にトリビュタリ信号が入力されると、それぞれの送信側トリビュタリ回路４はトリビュタリ信号にフレーム情報および識別コードを重畳し、この複数のトリビュタリ信号が多重化回路５に入力される。そして、この多重化回路５は複数のトリビュタリ信号を識別コードの順番に並べた上でビット毎に多重化処理を行いこれを多重化信号として出力する。
【００３９】
分離回路６は、この複数のトリビュタリ信号が重畳された多重化信号を受信すると、最初に検出したフレーム情報を基準として上記多重化されるトリビュタリ信号の数の分を１つの多重化信号として認識し、この受信した多重化信号をフレーム情報毎に分割し、複数のトリビュタリ信号として暫定的に複数の受信側トリビュタリ回路７，・・・，７へ出力する。そして、各受信側トリビュタリ回路７はそれぞれの不図示の下流側信号経路へトリビュタリ信号を出力する。
【００４０】
これと同時に、コード識別回路８のコード抽出回路１０はトリビュタリ信号に重畳された識別コードを抽出し、コード一致検出回路１１はこの抽出した識別コードが当該コード識別回路８が設けられた受信側トリビュタリ回路７に対応する識別コードと一致するか否かを判断し、その判断結果に応じて一致信号を出力する。そして、この判断が不一致である場合には、分配回路９のシフト数制御回路１２は予め設定された値のシフト量信号を出力し、方路設定回路１３は、このシフト量信号が入力される度にその値だけ分離回路６からの複数のトリビュタリ信号をシフトして複数の受信側トリビュタリ回路７，・・・，７へ出力する。
【００４１】
そして、抽出した識別コードが当該コード識別回路８が設けられた受信側トリビュタリ回路７に対応する識別コードと一致すると、一致信号が出力され、「０」のシフト量信号が出力され、方路設定回路１３における複数のトリビュタリ信号のシフト処理は終了し、分離回路６から出力される複数のトリビュタリ信号はそれぞれ、それぞれの識別コードが一致する受信側トリビュタリ回路７へ出力され続けることになる。
【００４２】
図４はこの発明の実施の形態１において分配回路９により実行される動作を示すフローチャートである。図において、ＳＴ１はコード識別回路８からの一致信号が入力される情報入力ステップ、ＳＴ２はこの一致信号に基づいて一致判定を行う判定ステップ、ＳＴ３は判定ステップＳＴ２で一致と判断された場合に実行されるステップであって、上記「０」のシフト量信号を出力させる無切り替え処理ステップであり、ＳＴ４は判定ステップＳＴ２で不一致と判断された場合に実行されるステップであって、上記所定の値のシフト量信号を出力する切り替え量設定ステップであり、ＳＴ５はこのシフト量信号に基づいて方路設定回路１３がシフト切り替え処理を実行する切り替え処理ステップである。
【００４３】
図５はこの発明の実施の形態１のトリビュタリ信号の多重送信システムの分配動作例を示すタイミングチャートである。同図は４つのトリビュタリ信号が多重化して送信され、受信装置２では４つの下流側信号経路にこれを分配する場合の例である。図において、（ａ）は送信装置１から出力される多重化信号、（ｂ）は第一の下流側信号経路への出力信号、（ｃ）は第二の下流側信号経路への出力信号、（ｄ）は第三の下流側信号経路への出力信号、（ｅ）は第四の下流側信号経路への出力信号である。また、１ａ，１ｂ，１ｃ，１ｄ，１ｅはそれぞれ第一の上流側信号経路から送信装置１に順番に入力された第一のトリビュタリ信号、２ａ，２ｂ，２ｃ，２ｄ，２ｅはそれぞれ第二の上流側信号経路から送信装置１に順番に入力された第二のトリビュタリ信号、３ａ，３ｂ，３ｃ，３ｄはそれぞれ第三の上流側信号経路から送信装置１に順番に入力された第三のトリビュタリ信号、４ａ，４ｂ，４ｃ，４ｄはそれぞれ第四の上流側信号経路から送信装置１に順番に入力された第四のトリビュタリ信号であり、送信装置１ではこの各上流側信号経路の最初のトリビュタリ信号１ａ，２ａ，３ａ，４ａを多重化して最初の多重化信号を生成し、次に二番目のトリビュタリ信号１ｂ，２ｂ，３ｂ，４ｂを多重化して二番目の多重化信号を生成している。
【００４４】
そして、同図では、受信装置２の分離回路６は同図の最初の周期においては第三のトリビュタリ信号１ｃのフレーム情報を最初のトリビュタリ信号のフレーム情報と認識し、第三のトリビュタリ信号３ａ、第四のトリビュタリ信号４ａ、第一のトリビュタリ信号１ｂおよび第二のトリビュタリ信号２ｂを１つの多重化信号として認識している。そのため、第一の下流側信号経路には第三のトリビュタリ信号３ａが出力され、第二の下流側信号経路には第四のトリビュタリ信号４ａが出力され、第三の下流側信号経路には第一のトリビュタリ信号１ｂが出力され、第四の下流側信号経路には第二のトリビュタリ信号２ｂが出力されている。
【００４５】
そして、この分配状態では、コード識別回路８から一致信号が出力されず、これに応じて分配回路９は所定のシフト量（同図では「２」）にて出力先を変更する。その結果、第三周期においては、第一の下流側信号経路には第一のトリビュタリ信号１ｄが出力され、第二の下流側信号経路には第二のトリビュタリ信号２ｄが出力され、第三の下流側信号経路には第三のトリビュタリ信号３ｃが出力され、第四の下流側信号経路には第四のトリビュタリ信号４ｃが出力されるようになり、コード識別回路８から一致信号が出力され、この状態で安定する。
【００４６】
以上のように、この実施の形態１によれば、送信装置１では、それぞれの送信側トリビュタリ回路４が予めそれぞれのトリビュタリ信号に識別コードおよびフレーム情報を付加した後、多重化回路５がこの複数の送信側トリビュタリ回路４，・・・，４の出力を当該多重化信号に多重化して一定周期毎に光ケーブル３に出力する一方で、受信装置２では分離回路６がこの多重化信号内の上記予め付与されたフレーム情報を検出し、このフレーム情報に基づいて多重化信号を認識して多重化されているトリビュタリ信号と同数のトリビュタリ信号を分離生成するので、送信装置１の多重化回路５は従来のように各トリビュタリ信号を多重化して情報領域を生成した後にＡＵポインタを含むセクションオーバヘッドＳＯＨを生成してこの情報領域に付加させることなく光ケーブル３に送出することができ、また、受信装置２の分離回路６は従来のようにセクションオーバヘッドＳＯＨを解読して（つまり分離回路６を多重化信号そのものに同期させて高速に動作させて）情報領域を各トリビュタリ信号に分類処理することなく、多重化信号から所定の数の複数のトリビュタリ信号を生成することができる効果がある。
【００４７】
従って、多量の情報を高速に送受信する段階であるこれら多重化回路５や分離回路６を従来のように非常に高速に動作させることなく、つまり多重前と分離後の処理のみで送信装置１から受信装置２へ複数のトリビュタリ信号を伝送することができ、ひいては高速に多量の情報を伝送する必要がある光ケーブル３を用いた国家間ノードインタフェースなどのＡＴＭ網のハイエンドとなる網ノード間インタフェースにおいて利用したとしても、多重化回路５や分配回路９を容易に実現することができ、しかも、また高速に動作させなければならない回路規模が削減されるので莫大な電力を消費してしまうこともなく実現することができる効果がある。逆にいえば、従来のようにこの多重化回路５や分配回路９の動作速度によって光ケーブル３における伝送速度が制限されてしまうことはなくなり、従来においては到底実現することができなかった伝送速度レベルにおいて光ケーブル３を利用することができる効果がある。
【００４８】
しかも、単に上記分離回路６と、それぞれのトリビュタリ信号をそれぞれの下流側送出経路に出力する受信側トリビュタリ回路７，・・・，７とのみで上記受信装置２を構成するのではなく、少なくとも１つの受信側トリビュタリ回路７において識別コードを判断させるとともに、これらの回路の間に、１乃至複数の受信側トリビュタリ回路７，・・・，７の判断結果に基づいて、分離回路６から出力される各トリビュタリ信号の出力先を、多重化信号に多重化されるトリビュタリ信号と同数を単位として上記複数の受信側トリビュタリ回路７，・・・，７の間で切り替える分配回路９を設けたので、分離回路６が多重化信号に同期して分離処理をしていなくとも、つまり検出した複数のフレーム情報が連続する２つの多重化信号にまたがってしまうものであって、動作開始当初においては受信側トリビュタリ回路７，・・・，７と生成したトリビュタリ信号との対応関係が所定のものと異なる場合であったとしても、識別コードに基づいてそれを修正することができ、最終的には、各上流側信号経路から入力されるトリビュタリ信号を対応する所定の下流側信号経路に送出することができる効果がある。
【００４９】
そして、このように上流側信号経路と下流側信号経路とを対応づけることができるので、高速に多量の情報を伝送する必要がある光ケーブル３を用いた国家間ノードインタフェースなどのＡＴＭ網のハイエンドとなる網ノード間インタフェースにおいて好適に利用することができる効果がある。
【００５０】
この実施の形態１によれば、多重化回路５は複数の送信側トリビュタリ回路４，・・・，４から入力される複数のトリビュタリ信号を予め定めた一定の順序で送出するとともに、分配回路９は各トリビュタリ信号の出力先をその分割順を維持したまま上記複数の受信側トリビュタリ回路７，・・・，７の間でシフト切り替えするので、単純なシフト動作でもって全ての上流側信号経路と下流側信号経路とを対応づけることができる効果がある。
【００５１】
実施の形態２．
図６はこの発明の実施の形態２によるトリビュタリ信号の多重送信システムの構成を示すブロック図である。図において、１４はそれぞれの受信側トリビュタリ回路７，・・・，７内に設けられ、それぞれの受信側トリビュタリ回路７に分配されたトリビュタリ信号内の識別コードと、予め設定されたいずれか１つの共通する識別コードとを比較し、これらが一致している場合には一致信号を出力するコード識別回路、１５はこれら複数の一致信号が入力され、これら複数の一致信号に基づいて分離回路６の複数の出力と複数の受信側トリビュタリ回路７，・・・，７との接続関係をシフト切り替えする分配回路である。
【００５２】
図７はこの発明の実施の形態２によるコード識別回路１４の内部構成を示す詳細なブロック図である。図において、１６はトリビュタリ信号が入力され、各トリビュタリ信号内の識別コードを抽出するコード抽出回路、１７は抽出された識別コードが入力され、これと上記共通に設定された識別コードとが一致するか否かを判断し、その判断結果を一致信号として出力するコード一致検出回路である。
【００５３】
図８はこの発明の実施の形態２によるコード抽出回路１６の内部構成を示す詳細なブロック図である。図において、１８はトリビュタリ信号のフレーム情報を検出し、これが検出されない場合には抽出無効信号を出力するフレーム識別回路、１９はこのフレーム識別回路１８からの信号が入力され、識別されたフレームの所定のビットに基づいて識別コードを抽出するコード取出回路である。
【００５４】
図９はこの発明の実施の形態２による分配回路１５の内部構成を示す詳細なブロック図である。図において、２０は複数の一致信号が入力され、これらに基づいて位相差を識別する位相差識別回路、２１はこの位相差識別回路２０に識別された位相差情報が入力され、最も確からしい位相差を出力する位相差判定回路、２２はこの位相差判定回路２１の出力が入力され、この位相差を解消する大きさのシフト量信号を出力するシフト数制御回路（切替回路）である。ここで、シフト量の演算結果がマイナス値となる場合には、多重化信号に多重化するトリビュタリ信号の数をその結果に加算すればよい。これ以外の構成は実施の形態１と同様であり同一の符号を付して説明を省略する。
【００５５】
次に動作について説明する。
分離回路６が各受信側トリビュタリ回路７，・・・，７に対してトリビュタリ信号を出力すると、コード抽出回路１６のフレーム識別回路１８はそのトリビュタリ信号のフレーム情報を識別し、これを一定周期毎に認識することができなければ抽出無効信号を出力する。コード抽出回路１６のコード取出回路１９は、このフレーム識別回路１８の出力が入力され、これに応じてトリビュタリ信号から識別コードを取出す。そして、コード一致検出回路１７は、この抽出された識別コードと上記共通に設定された識別コードとを比較し、これらが一致したら一致信号を出力する。
【００５６】
なお、フレーム識別回路１８において、トリビュタリ信号に重畳されたフレーム情報を識別するためには、たとえば、このトリビュタリ信号のビット系列とフレーム情報のビット系列とのパターン照合などを行うことにより実施することができる。また、フレーム識別回路１８の出力に基づいてコード取出回路１９を動作させ、これにより識別コードを適当に取出すためには、たとえば、送信装置１側でトリビュタリ信号にフレーム情報と識別コードとを重畳する際に、それらの重畳位置の差（位相差）を固定的に設定し、このコード取出回路においては、フレーム識別回路１８からの信号入力から所定の遅延タイミングでこの識別コードを抽出するようにすればよい。
【００５７】
そして、位相差識別回路２０は、全ての受信側トリビュタリ回路７，・・・，７からの複数の一致信号と、識別コードと、抽出無効信号とが入力され、一致信号が入力された識別コードに基づいて位相差を判定する。その後、位相差判定回路２１はこの一致信号に係る識別コードとそれを出力したものの下流側信号経路に係る識別コードとの差を位相差として出力し、シフト数制御回路２２はこの位相差を解消する大きさのシフト量信号を出力し、方路設定回路１３はこのシフト量信号に基づいて各トリビュタリ信号の接続先を切り替える。
【００５８】
図１０はこの発明の実施の形態２において分配回路１５により実行される動作を示すフローチャートである。図において、ＳＴ６はコード識別回路１４からの一致信号、識別コード、抽出無効信号が入力される情報入力ステップ、ＳＴ７は一致信号が入力された数が１つであるか否かを判定する有効数判定ステップ、ＳＴ８はこの唯一の有効な一致信号に係る識別コードとそれを出力したものの下流側信号経路に係る識別コードとの位相差を演算し、この位相差と同じ大きさのシフト量信号を出力するシフト量設定ステップである。これ以外のステップは図４と同様であり同一の符号を付して説明を省略する。
【００５９】
図１１はこの発明の実施の形態２のトリビュタリ信号の多重送信システムの分配動作例を示すタイミングチャートである。そして、最初の周期では各下流側信号経路には２つずれた経路のトリビュタリ信号が入力されているが、この識別コードの違いに基づいて位相差が「２」と演算され、この「２」と同じ数だけ切り替えられ、第三周期では位相が揃った状態となっている。また、これ以外の動作は実施の形態１と同様であり説明を省略する。
【００６０】
図１２はこの発明の実施の形態２のトリビュタリ信号の多重送信システムの他の分配動作例を示すタイミングチャートである。図において、（ａ）は第一の受信側トリビュタリ回路７から出力される識別コード、（ｂ）は第二の受信側トリビュタリ回路７から出力される識別コード、（ｃ）は第三の受信側トリビュタリ回路７から出力される識別コード、（ｄ）は第四の受信側トリビュタリ回路７から出力される識別コードである。そして、第一周期では、第一の受信側トリビュタリ回路７から出力される識別コードと第二の受信側トリビュタリ回路７から出力される識別コードとが無効となっているが、それ以外に２つ有効な識別コードが出力されているので、第三周期では位相が「２」ずらされて適切にトリビュタリ信号を出力することができる。したがって、このように一部のデータにビット誤りが生じても適切に切り替えを行うことができる。
【００６１】
図１３はこの発明の実施の形態２のトリビュタリ信号の多重送信システムの他の分配動作例を示すタイミングチャートである。そして、第一周期では、第一の受信側トリビュタリ回路７から出力される識別コードと第二の受信側トリビュタリ回路７から出力される識別コードとが無効となっているが、それ以外に２つ有効な識別コードが出力されているので、この場合であっても、第三周期では位相が「２」ずらされて適切にトリビュタリ信号を出力することができる。したがって、このように送信側トリビュタリ回路４などが故障して、一部のデータに継続的にビット誤りが生じても適切に切り替えを行うことができる。
【００６２】
以上のように、この実施の形態２によれば、識別コードを判断する複数の受信側トリビュタリ回路７，・・・，７はそれぞれ、トリビュタリ信号から識別コードを抽出するコード抽出回路１６と、共通する１つの識別コードと当該コード抽出回路１６が抽出した識別コードとを比較して一致／不一致の判別結果を出力するコード一致検出回路１７とを備え、分配回路１５は、この複数の一致／不一致の判別結果に基づいてトリビュタリ信号の出力先を切り替えるので、単純な判別動作で各回の切り替え動作が高速となり、高速に切り替えを行うことができる効果がある。
【００６３】
この実施の形態２によれば、コード抽出回路１６が、分配回路１５からトリビュタリ信号として入力される信号からフレーム情報を識別することができない場合には抽出無効信号を出力し、分配回路１５はこの抽出無効信号を出力した受信側トリビュタリ回路７の識別コードの判別結果を無視して切り替えを行うので、多重化信号における各トリビュタリ信号に同期していない状態などにおいて、誤っている識別コードに基づいて誤った切り替え動作をしないようにすることができる。特に、一部のトリビュタリ信号にエラーが発生した場合などにおいてもそれにより全てのトリビュタリ信号が切り替わってしまうなどの誤動作を防止することができ、システムの安定性や信頼性を向上させることができる効果がある。
【００６４】
この実施の形態２によれば、複数の受信側トリビュタリ回路７，・・・，７の判断結果に基づいてトリビュタリ信号の出力先を切り替える分配回路１５は、それぞれの判別結果に基づいて複数のシフト量を生成する位相差識別回路２０と、この複数のシフト量の中から最も一致する値のシフト量を抽出する位相差判定回路２１と、この抽出したシフト量だけ切り替えるシフト数制御回路２２および方路設定回路１３とからなるので、複数の判断結果それぞれに基づいてシフト量を演算し、その複数のシフト量から最も確からしいシフト量を抽出して切り替えることができるので、ほぼ１回の切り替え動作にてトリビュタリ信号を適当な受信側トリビュタリ回路７，・・・，７に分配させることができる効果がある。
【００６５】
実施の形態３．
図１４はこの発明の実施の形態３によるコード識別回路１４の構成を示すブロック図である。図において、２３ａ，・・・，２３ｎは出力信号経路と同数設けられ、それぞれ異なる経路の識別コードと抽出した識別コードとの一致・不一致を検出するコード一致検出回路、２４はこれら複数の一致検出結果が入力され、一致している検出結果の番号を一致信号として抽出した識別コードとともに出力する収集回路である。また、この複数の収集回路２４，・・・，２４の出力が入力される分配回路１５の位相差識別回路２０は、この複数の一致信号とそれぞれの識別コードとからそれぞれの位相差を演算して出力し、位相差判定回路２１はこの複数の位相差の内から最も適当と思われる位相差を１つ選択して出力する。これ以外の構成は実施の形態２と同様であり説明を省略する。
【００６６】
次に動作について説明する。
分離回路６が各受信側トリビュタリ回路７，・・・，７に対してトリビュタリ信号を出力し、コード抽出回路１６から識別コードが出力されると、各コード一致検出回路２３ａ，・・・，２３ｎはそれぞれの識別コードとこの抽出された識別コードとを比較して、その比較結果を出力する。そして、収集回路２４は、この中に一致するとの情報があれば、検出結果の番号を一致信号として出力し、分配回路１５はこの一致信号に基づいて位相差を判定し、そのうちから最も確からしい位相差に基づいて各トリビュタリ信号の接続先を切り替える。なお、この際、複数の比較結果のいずれにも一致するとの結果がないときは抽出無効信号を出力すればよい。これ以外の動作は実施の形態２と同様であり説明を省略する。
【００６７】
以上のように、この実施の形態３によれば、識別コードを判断する複数の受信側トリビュタリ回路７はそれぞれ、トリビュタリ信号から識別コードを抽出するコード抽出回路１６を備え、分配回路１５は、この１乃至複数の抽出された識別コードとそれを出力した受信側トリビュタリ回路７の識別コードとを比較し、その差に応じてトリビュタリ信号の出力先を切り替えるので、少ない回数にて切り替えを完了させることができ、高速に切り替えを行うことができる効果がある。
【００６８】
この実施の形態３によれば、コード識別回路１４が、全ての識別コードとの比較を行う複数のコード一致検出回路２３ａ，・・・，２３ｎと、この複数のコード一致検出回路２３ａ，・・・，２３ｎの出力と上記多重化信号における判別コードの多重化順とに基づいてその多重化順における順位差を出力する収集回路２４とを備えるので、確実にコード差を判別して、確実に高速な切り替えを行うことができる効果がある。
【００６９】
実施の形態４．
図１５はこの発明の実施の形態４によるコード識別回路１４の構成を示すブロック図である。図１６はこの発明の実施の形態４による分配回路１５の構成を示すブロック図である。図において、２５は複数のコード一致検出回路２３ａ，・・・，２３ｎの一致検出結果が入力され、一致した識別コードのものと自身との多重化順における差を位相差信号として出力する位相差識別回路、２６は複数の位相差信号が入力され、この複数の位相差信号の中から最も確からしい位相差を１つ選択して出力する位相差判定回路である。これ以外の構成は実施の形態３と同様であり説明を省略する。
【００７０】
次に動作について説明する。
分離回路６が各受信側トリビュタリ回路７，・・・，７に対してトリビュタリ信号を出力し、各コード一致検出回路２３ａ，・・・，２３ｎから識別コードの比較結果が出力されると、位相差識別回路２５は、比較結果が一致している識別コードに対応するものと自身との多重化順における差を位相差信号として出力し、位相差判定回路２６はこのように求められた複数の位相差信号に基づいて最も確からしい位相差を選択して出力する。これ以外の動作は実施の形態３と同様であり説明を省略する。
【００７１】
以上のように、この実施の形態４によれば、識別コードを判断する複数の受信側トリビュタリ回路７，・・・，７はそれぞれ、トリビュタリ信号から識別コードを抽出するコード抽出回路１６と、このコード抽出回路１６が抽出した識別コードと複数の識別コードとを比較してその差を判別結果として出力するコード差判別回路２３ａ，・・・，２３ｎとを備え、分配回路１５は、このコード差に応じてトリビュタリ信号の出力先を切り替えるので、識別コード抽出、コード差判別、切り替えの３つの段階で高速に且つ少ない回数にて切り替えを完了させることができ、高速に切り替えを行うことができる効果がある。
【００７２】
実施の形態５．
図１７はこの発明の実施の形態５において分配回路１５により実行される動作を示すフローチャートである。図において、ＳＴ９は検出無効信号が出力されているものが過半数以上であるか否かを判定する有効数判定ステップ、ＳＴ１０は有効なものが全て同一の位相差を出力しているか判断する位相差判定ステップ、ＳＴ１１はこの同一の位相差と同じ大きさのシフト量信号を出力するシフト量設定ステップである。これ以外の構成及び動作は実施の形態３と同様であり説明を省略する。
【００７３】
以上のように、この実施の形態５によれば、分配回路１５は、抽出無効信号を出力したもののシフト量を除いてシフト量の抽出を行うので、光ケーブル３などが不安定で不確かな場合であってもそのうちから確からしい１乃至複数の識別コードに基づいてトリビュタリ信号の分配先を切り替えることができる効果がある。
【００７４】
この実施の形態５によれば、分配回路１５は、抽出無効信号を出力するものが過半数を超えたときは切り替えないので、光ケーブル３などが不安定で不確かな場合に誤まってトリビュタリ信号の分配先を切り替えてしまうことを確実に防止することができる効果がある。
【００７５】
実施の形態６．
図１８はこの発明の実施の形態６において分配回路１５により実行される動作を示すフローチャートである。図において、ＳＴ１２は全てが有効であるか否かを判定する有効数判定ステップ、ＳＴ１３は有効なものが全て同一の位相差を出力しているか判断する位相差判定ステップである。これ以外の構成及び動作は実施の形態３と同様であり説明を省略する。
【００７６】
以上のように、この実施の形態６によれば、分配回路１５は、全てのシフト量が一致しない場合には切り替えないので、光ケーブル３などが不安定で不確かな場合に誤まってトリビュタリ信号の分配先を切り替えてしまうことを確実に防止することができる効果がある。
【００７７】
この実施の形態６によれば、分配回路１５は、抽出無効信号を出力するものが存在するときは切り替えないので、主信号経路などが不安定で不確かな場合に誤まってトリビュタリ信号の分配先を切り替えてしまうことを確実に防止することができる効果がある。
【００７８】
実施の形態７．
図１９はこの発明の実施の形態７において分配回路１５により実行される動作を示すフローチャートである。図において、ＳＴ１４は有効なものが残っているか否かを判定する有効数判定ステップ、ＳＴ１５は有効なものが全て同一の位相差を出力しているかを判断する位相差判定ステップである。これ以外の構成及び動作は実施の形態４と同様であり説明を省略する。
【００７９】
図２０はこの発明の実施の形態７のトリビュタリ信号の多重送信システムの分配動作例を示すタイミングチャートである。そして、この実施の形態７では、同図のような判別結果の状態では切り替え動作は実行されない。
【００８０】
以上のように、この実施の形態７によれば、多少不安定な状態であっても出力先を積極的に切り替えて早期に安定を図ったりすることができる。
【００８１】
実施の形態８．
図２１はこの発明の実施の形態８において分配回路１５により実行される動作を示すフローチャートである。図において、ＳＴ１６は有効数が「１」つである場合を別処理に分割する処理選択ステップであり、ＳＴ１７は有効数の半分以上のものが一致している位相差を抽出選択する判定ステップであり、ＳＴ１８はこの位相差をシフト量として出力するシフト量設定ステップである。これ以外の構成及び動作は実施の形態３と同様であり説明を省略する。
【００８２】
以上のように、この実施の形態８によれば、分配回路１５は、複数のシフト量が過半数において一致しない場合には切り替えないので、光ケーブル３などが不安定で不確かな場合に誤まってトリビュタリ信号の分配先を切り替えてしまうことを防止することができる効果がある。
【００８３】
実施の形態９．
図２２はこの発明の実施の形態９において分配回路１５により実行される動作を示すフローチャートである。図において、ＳＴ１９は複数の有効な位相差をその値ごとに分類して、その中から最も情報数が多いものを検索する検索ステップであり、ＳＴ２０はこの最も情報数が多いものが複数個存在するか否かを判定する判定ステップであり、ＳＴ２１は唯一の最大一致数の位相差をシフト量として出力するシフト量設定ステップである。これ以外の構成及び動作は実施の形態３と同様であり説明を省略する。
【００８４】
以上のように、この実施の形態９によれば、分配回路１５は、複数のシフト量の中において最も一致する値が複数存在する場合には切り替えないので、光ケーブル３などが不安定で不確かな場合に誤まってトリビュタリ信号の分配先を切り替えてしまうことを防止することができる効果がある。
【００８５】
また、多数決により判定しているので、１つの多重化信号内の一部において発生しているビットエラーなどによらず適切に切り替えることができる。
【００８６】
さらに、有効数が１である場合には即座にそれを判定結果として利用して方向を切り替えることができる。
【００８７】
実施の形態１０．
図２３はこの発明の実施の形態１０によるトリビュタリ信号の多重送信システムの構成を示すブロック図である。図において、２７はそれぞれ各送信側トリビュタリ回路４，・・・，４内に設けられ、それぞれの識別コードのビット誤りなどを検出するための誤り検出符号をトリビュタリ信号に重畳する誤り検出符号付加回路、２８はそれぞれの受信側トリビュタリ回路７，・・・，７内に設けられ、それぞれの受信側トリビュタリ回路７に分配されたトリビュタリ信号内の識別コードの誤りを検出しつつ抽出し、さらにこの抽出した識別コードの一致検出を行うコード識別回路である。
【００８８】
図２４はこの発明の実施の形態１０によるコード識別回路２８内のコード抽出回路１６の構成を示すブロック図である。図において、２９はトリビュタリ信号に重畳されている誤り検出符号を用いてコード取出回路１９から出力される識別コードの誤り検出を行う誤り検出回路、３０はこの誤り検出回路２９の検出結果が入力され、誤りがあった場合には上記コード取出回路１９が抽出した識別コードの代わりにいずれの識別コードにも合致しないマスクコードを出力するコードマスク回路である。
【００８９】
なお、上記誤り検出符号としては、例えば偶数パリティ則や奇数パリティ則などにより生成したものを用いることができる。
【００９０】
次に動作について説明する。
各コード抽出回路１６にトリビュタリ信号が入力されると、フレーム識別回路１８はそのトリビュタリ信号のフレーム情報を識別し、これを認識することができなければ抽出無効信号を出力する。コード取出回路１９は、このフレーム識別回路１８の出力が入力され、これに応じてトリビュタリ信号から識別コードを取り出し、誤り検出回路２９はトリビュタリ信号に重畳されている誤り検出符号を用いてコード取出回路１９から出力される識別コードの誤り検出を行う。そして、この誤り検出の結果、誤りがあると判定されたら、コードマスク回路３０はマスクコードを出力し、誤りがないと判定されたら、コードマスク回路３０は抽出した識別コードを出力する。
【００９１】
そして、このようにマスクコードが出力されると、コード一致検出回路２３ａ，・・・，２３ｎは、一致信号を出力しないので、この誤りが検出された識別コードによって分配回路１５において誤った切り替え動作が行われてしまうことはなくなる。これ以外の構成及び動作は実施の形態３と同様であり説明を省略する。
【００９２】
以上のように、この実施の形態１０によれば、送信側トリビュタリ回路４が、識別コードやフレーム情報とともに識別コードの誤り検出符号を付加し、コード抽出回路１６は、この誤り検出符号に基づいて識別コードに誤りがある場合には抽出無効信号を出力し、分配回路１５はこの抽出無効信号を出力した受信側トリビュタリ回路７の識別コードの判別結果を無視して切り替えを行うので、誤っている識別コードに基づいて誤った切り替え動作をしないようにすることができる。特に、一部のトリビュタリ信号にエラーが発生した場合などにおいてもそれにより全てのトリビュタリ信号が切り替わってしまうなどの誤動作を防止することができ、システムの安定性や信頼性を向上させることができる効果がある。
【００９３】
この実施の形態１０によれば、コード抽出回路１６は、識別コードに誤りがある場合には、識別コードとして割り付けられていないマスクコードを識別コードの代わりに出力するので、分配回路１５において正常な識別コードに基づいてのみコード差を生成することができ、誤っている識別コードに基づいて誤った切り替え動作をしないようにすることができる。特に、一部のトリビュタリ信号にエラーが発生した場合などにおいてもそれにより全てのトリビュタリ信号が切り替わってしまうなどの誤動作を防止することができ、システムの安定性や信頼性を向上させることができる効果がある。
【００９４】
実施の形態１１．
図２５はこの発明の実施の形態１１によるコード抽出回路１６の構成を示すブロック図である。図において、３１はトリビュタリ信号に重畳されている誤り検出符号を用いてコード取出回路１９から出力される識別コードの誤り検出を行い、誤りが検出された場合には抽出無効信号を出力する誤り検出回路、３２はフレーム識別回路１８からの出力される抽出無効信号と上記誤り検出回路３１から出力される抽出無効信号とが入力され、いずれか一方が出力されたら外部に抽出無効信号を出力するオア回路である。
【００９５】
次に動作について説明する。
各コード抽出回路１６にトリビュタリ信号が入力されると、フレーム識別回路１８はそのトリビュタリ信号のフレーム情報を識別し、これを認識することができなければ抽出無効信号を出力し、この抽出無効信号はオア回路３２を介して分配回路１５などへ出力される。コード取出回路１９は、このフレーム識別回路１８の出力が入力され、これに応じてトリビュタリ信号から識別コードを取り出し、誤り検出回路３１はトリビュタリ信号に重畳されている誤り検出符号を用いてコード取出回路１９から出力される識別コードの誤り検出を行う。そして、この誤り検出の結果、誤りがあると判定されたら、誤り検出回路３１は抽出無効信号を出力し、この抽出無効信号はオア回路３２を介して分配回路１５などへ出力される。
【００９６】
そして、このように抽出無効信号が出力されると、分配回路１５ではこの抽出無効信号が入力されたものの一致信号や識別コードを無視してシフト量を設定するので、この誤りが検出された識別コードによって分配回路１５において誤った切り替え動作が行われてしまうことはなくなる。これ以外の構成及び動作は実施の形態１０と同様であり説明を省略する。
【００９７】
以上のように、この実施の形態１１によれば、コード抽出回路１６は、誤り検出符号に基づいて識別コードを訂正できないときには抽出無効信号を出力し、分配回路１５はこの抽出無効信号を出力した受信側トリビュタリ回路７の識別コードの判別結果を無視して切り替えを行うので、訂正しきれないようなエラーが識別コードに発生している場合に、それにより全てのトリビュタリ信号が切り替わってしまうなどの誤動作を防止することができ、システムの安定性や信頼性を向上させることができる効果がある。
【００９８】
実施の形態１２．
図２６はこの発明の実施の形態１２によるトリビュタリ信号の多重送信システムの構成を示すブロック図である。図において、３３はそれぞれ各送信側トリビュタリ回路４内に設けられ、それぞれの識別コードのビット誤りなどを検出訂正するための誤り訂正符号をトリビュタリ信号に重畳する誤り訂正符号付加回路、３４はそれぞれの受信側トリビュタリ回路７内に設けられ、それぞれの受信側トリビュタリ回路７に分配されたトリビュタリ信号内の識別コードの誤りを訂正しつつ抽出し、さらにこの抽出した識別コードの一致検出を行うコード識別回路である。
【００９９】
図２７はこの発明の実施の形態１２によるコード識別回路内のコード抽出回路１６の構成を示すブロック図である。図において、３５はトリビュタリ信号に重畳されている誤り訂正符号を用いてコード取出回路１９から出力される識別コードの誤り検出を行う誤り検出回路、３６はこの誤り検出回路３５の検出結果が入力され、誤りがあった場合には上記コード取出回路１９が抽出した識別コードを訂正してその訂正された識別コードを出力する誤り訂正回路である。
【０１００】
なお、上記誤り訂正符号としては、ＣＲＣ（Ｃｙｃｌｉｃ  Ｒｅｄｕｎｄａｎｃｙ  Ｃｈｅｃｋ）則などにより生成されたシンドロームを用いることができる。
【０１０１】
次に動作について説明する。
各コード抽出回路１６にトリビュタリ信号が入力されると、フレーム識別回路１８はそのトリビュタリ信号のフレーム情報を識別し、これを認識することができなければ抽出無効信号を出力する。コード取出回路１９は、このフレーム識別回路の出力が入力され、これに応じてトリビュタリ信号から識別コードを取り出し、誤り検出回路３５はトリビュタリ信号に重畳されている誤り訂正符号を用いてコード取出回路１９から出力される識別コードの誤り検出を行う。そして、この誤り検出の結果、誤りがあると判定されたら、誤り訂正回路３６はコード取出回路１９が抽出した識別コードを誤り訂正符号で訂正し、この訂正された識別コードを出力する。
【０１０２】
そして、このように識別コードが訂正されるので、コード一致検出回路２３ａ，・・・，，２３ｎは訂正された識別コードに基づいて一致判定を行うことができ、分配回路１５において誤った切り替え動作などが行われてしまうことはなくなる。これ以外の構成及び動作は実施の形態３と同様であり説明を省略する。
【０１０３】
以上のように、この実施の形態１２によれば、コード抽出回路１６は、誤り訂正符号に基づいて識別コードを訂正し、これを抽出した識別コードとして出力するので、識別コード自体の誤り率を低減することができ、一部のトリビュタリ信号にエラーが発生した場合などにおいてもそれにより全てのトリビュタリ信号が切り替わってしまうなどの誤動作を防止することができ、システムの安定性や信頼性を向上させることができる効果がある。
【０１０４】
実施の形態１３．
図２８はこの発明の実施の形態１３によるコード抽出回路１６の構成を示すブロック図である。図において、３７はトリビュタリ信号に重畳されている誤り訂正符号を用いてコード取出回路から出力される識別コードの誤り訂正を行うとともに、この誤り訂正符号を用いたとしても誤りを訂正できない場合には抽出無効信号を出力する誤り訂正回路、３８はフレーム識別回路１８からの出力される抽出無効信号と上記誤り訂正回路３７から出力される抽出無効信号とが入力され、いずれか一方が出力されたら外部に抽出無効信号を出力するオア回路である。
【０１０５】
次に動作について説明する。
各コード抽出回路１６にトリビュタリ信号が入力されると、フレーム識別回路１８はそのトリビュタリ信号のフレーム情報を識別し、これを認識することができなければ抽出無効信号を出力し、この抽出無効信号はオア回路３８を介して分配回路１５などへ出力される。コード取出回路１９は、このフレーム識別回路１８の出力が入力され、これに応じてトリビュタリ信号から識別コードを取り出し、誤り検出回路３５はトリビュタリ信号に重畳されている誤り検出符号を用いてコード取出回路１９から出力される識別コードの誤り検出を行い、誤り訂正回路３７は誤りがある場合に識別コードを訂正する。そして、この誤り訂正の結果、誤りがあると判定されたら、誤り訂正回路３７は抽出無効信号を出力し、この抽出無効信号はオア回路３８を介して分配回路などへ出力される。
【０１０６】
そして、このように抽出無効信号が出力されると、分配回路１５ではこの抽出無効信号が入力されたものの一致信号や識別コードを無視してシフト量を設定するので、この誤りが検出された識別コードによって分配回路において誤った切り替え動作が行われてしまうことはなくなる。これ以外の構成及び動作は実施の形態１２と同様であり説明を省略する。
【０１０７】
以上のように、この実施の形態１３によれば、コード抽出回路１６は、誤り訂正符号に基づいて識別コードを訂正できないときには抽出無効信号を出力し、分配回路１５はこの抽出無効信号を出力した受信側トリビュタリ回路７の識別コードの判別結果を無視して切り替えを行うので、訂正しきれないようなエラーが識別コードに発生している場合に、それにより全てのトリビュタリ信号が切り替わってしまうなどの誤動作を防止することができ、システムの安定性や信頼性を向上させることができる効果がある。
【０１０８】
なお、以上の実施の形態では、識別コードとそれと比較するコードとが一致したら直ちに一致信号などを出力して切り替えを行っているが、本願発明はこれに限られるものではなく、複数回連続して一致して初めて切り替えを行うようにしてもよい。これにより、一時的なビットエラーなどによる誤った切り替えを防止し、システムの安定性や信頼性を向上させることができる。
【０１０９】
そして、実施の形態相互間を比較した場合、図２２に基づく切り替え処理よりも図２１に基づく切り替え処理の方が、光ケーブル３などの回線品質がよい場合には適切な切り替えを完了するまでに時間がかかってしまう可能性があるものの、一部のトリビュタリ信号や識別コードが正常に送信されない場合であっても、その他の正常なトリビュタリ信号を適切に切り替えることができる。また、図１９に基づく切り替え処理ではこれら２つと比べても更に、方路切り替えを実施する時刻が遅くなる可能性がやや大きくなってしまうが、誤った方路切り替えを実施してしまう可能性を更に低減することができ、しかも、当該処理を実行する回路の規模を小さくすることができる。更に、図１８に基づく切り替え処理ではこれら３つと比べても更に、方路切り替えを実施する時刻が遅くなる可能性がやや大きくなってしまうが、誤った方路切り替えを実施してしまう可能性を更に低減することができ、しかも、当該処理を実行する回路の規模を小さくすることができる。
【０１１０】
逆に、図１７に基づく切り替え処理では、以上の図１８から図２２までのものに比べて位相差判定の条件が成立し易いため、誤った方路切り替えを実施してしまう可能性がやや高いものの、方路切り替えを早期に実施できる可能性が高くなる。
【０１１１】
また、実施の形態１や実施の形態２では、１つのコード一致検出回路１１，１７しか設けていないので、その他の実施の形態に比べて回路規模を小さくすることができる。更に、実施の形態１では固定値による位相切り替えを行っているが、その他の実施の形態では位相差を判定し、それを解消するように切り替えを行っているので、当該その他の実施の形態の方が早期に正常な信号経路接続状態を確立することができる可能性が高い。
【０１１２】
更に、実施の形態１０以降では識別コードの誤り検出や誤り訂正を行っているので、誤って抽出された識別コードに基づく誤った切り替え動作をしなくなり、回線品質が悪い場合でもさらに安定した切り替えを行うことができる。特に、一部のトリビュタリ信号や識別コードに誤りが発生しているような状況では有効である。また、誤り訂正を行う場合には特にその処理の分だけ切り替えが遅れてしまう可能性があるが、誤りが訂正された正しい識別コードに基づいて１回１回の切り替え動作を実施させることができるので、結果的にみればこのような誤りが発生する状況においては早期に正常な信号経路接続状態を確立することができる可能性が高くなる。
【０１１３】
【発明の効果】
以上のように、この発明によれば、送信装置では、送信側トリビュタリ回路が予めそれぞれのトリビュタリ信号に識別コードおよびフレーム情報を付加した後、多重化回路がこの複数の送信側トリビュタリ回路の出力を当該多重化信号に多重化して一定周期毎に主信号経路に出力する一方で、受信装置では分離回路がこの多重化信号内の上記予め付与されたフレーム情報を検出し、このフレーム情報に基づいて多重化信号に多重化されるトリビュタリ信号と同数のトリビュタリ信号を分離生成するので、送信装置の多重化回路は従来のように各トリビュタリ信号を多重化して情報領域を生成した後にＡＵポインタを含むセクションオーバヘッドＳＯＨを生成してこの情報領域に付加させることなく、多重化信号を互いにインターリーブ処理して主信号経路に送出することができ、また、受信装置の分離回路は従来のようにセクションオーバヘッドＳＯＨを解読して（つまり分離回路を多重化信号そのものに同期させ、高速に動作させる。）情報領域を各トリビュタリ信号に分類処理することなく、多重化信号から複数のトリビュタリ信号を生成することができる効果がある。
【０１１４】
従って、多量の情報を高速に送受信する段階であるこれら多重化回路や分離回路を従来のように非常に高速に動作させることなく、送信装置から受信装置へ複数のトリビュタリ信号を伝送することができ、ひいては高速に多量の情報を伝送する必要がある光ケーブルを用いた国家間ノードインタフェースなどのＡＴＭ網のハイエンドとなる網ノード間インタフェースにおいて利用したとしても、多重化回路や分配回路を容易に実現することができ、しかも、また高速に動作させなければならない回路規模が削減されるので莫大な電力を消費してしまうこともなく実現することができる効果がある。逆にいえば、この多重化回路や分配回路の動作速度によって主信号経路における伝送速度が制限されてしまうことはなくなり、従来においては到底実現することができなかった伝送速度レベルにおいて主信号経路を動作させることができる効果がある。
【０１１５】
しかも、単に上記分離回路と、それぞれのトリビュタリ信号をそれぞれの下流側送出経路に出力する受信側トリビュタリ回路のみで上記受信装置を構成するのではなく、少なくとも１つの受信側トリビュタリ回路において識別コードを判断させるとともに、これらの回路の間に、１乃至複数の受信側トリビュタリ回路の判断結果に基づいて、分離回路から出力される各トリビュタリ信号の出力先を、多重化信号に多重化されるトリビュタリ信号と同数を単位として上記複数の受信側トリビュタリ回路の中で切り替える分配回路を設けたので、分離回路が多重化信号に同期して分離処理をしていなくとも、つまり検出した複数のフレーム情報が連続する２つの多重化信号に基づくものであり、当初においては受信側トリビュタリ回路と生成したトリビュタリ信号との対応関係が所定のものと異なる場合であったとしても、識別コードに基づいてそれを修正することができ、最終的には、各上流側信号経路から入力されるトリビュタリ信号を対応する所定の下流側信号経路に送出することができる効果がある。
【０１１６】
そして、このように上流側信号経路と下流側信号経路とを対応づけることができるので、高速に多量の情報を伝送する必要がある光ケーブルを用いた国家間ノードインタフェースなどのＡＴＭ網のハイエンドとなる網ノード間インタフェースにおいて好適に利用することができる効果がある。
【０１１７】
この発明によれば、多重化回路は複数の送信側トリビュタリ回路から入力される複数のトリビュタリ信号を予め定めた一定の順序で送出するとともに、分配回路は各トリビュタリ信号の出力先をその分割順を維持したまま上記複数のトリビュタリ回路の間でシフト切り替えするので、単純なシフト動作で全ての上流側信号経路と下流側信号経路とを対応づけることができる効果がある。
【０１１８】
この発明によれば、識別コードを判断する１乃至複数の受信側トリビュタリ回路はそれぞれ、トリビュタリ信号から識別コードを抽出するコード抽出回路と、共通する１つの識別コードと当該コード抽出回路が抽出した識別コードとを比較して一致／不一致の判別結果を出力するコード一致検出回路とを備え、分配回路は、この１乃至複数の一致／不一致の判別結果に基づいてトリビュタリ信号の出力先を切り替えるので、単純な判別動作で各回の切り替え動作が高速となり、高速に切り替えを行うことができる効果がある。
【０１１９】
この発明によれば、識別コードを判断する１乃至複数の受信側トリビュタリ回路はそれぞれ、トリビュタリ信号から識別コードを抽出するコード抽出回路を備え、分配回路は、この１乃至複数の抽出された識別コードとそれを出力した受信側トリビュタリ回路の識別コードとを比較し、その差に応じてトリビュタリ信号の出力先を切り替えるので、少ない回数にて切り替えを完了させることができ、高速に切り替えを行うことができる効果がある。
【０１２０】
この発明によれば、識別コードを判断する１乃至複数の受信側トリビュタリ回路はそれぞれ、トリビュタリ信号から識別コードを抽出するコード抽出回路と、このコード抽出回路が抽出した識別コードと１乃至複数の識別コードとを比較してその差を判別結果として出力するコード差判別回路とを備え、分配回路は、このコード差に応じてトリビュタリ信号の出力先を切り替えるので、識別コード抽出、コード差判別、切り替えの３つの段階で高速に且つ少ない回数にて切り替えを完了させることができ、高速に切り替えを行うことができる効果がある。
【０１２２】
この発明によれば、コード抽出回路が、分配回路からトリビュタリ信号として入力される信号からフレーム情報を識別することができない場合には抽出無効信号を出力し、分配回路はこの抽出無効信号を出力した受信側トリビュタリ回路の識別コードの判別結果を無視して切り替えを行うので、多重化信号における各トリビュタリ信号に同期していない状態などにおいて、誤っている識別コードに基づいて誤った切り替え動作をしないようにすることができる。特に、一部のトリビュタリ信号にエラーが発生した場合などにおいてもそれにより全てのトリビュタリ信号が切り替わってしまうなどの誤動作を防止することができ、システムの安定性や信頼性を向上させることができる効果がある。
【０１２３】
この発明によれば、送信側トリビュタリ回路が、識別コードやフレーム情報とともに識別コードの誤り検出符号あるいは誤り訂正符号を付加し、コード抽出回路は、この誤り検出符号あるいは誤り訂正符号に基づいて識別コードに誤りがある場合には抽出無効信号を出力し、分配回路はこの抽出無効信号を出力した受信側トリビュタリ回路の識別コードの判別結果を無視して切り替えを行うので、誤っている識別コードに基づいて誤った切り替え動作をしないようにすることができる。特に、一部のトリビュタリ信号にエラーが発生した場合などにおいてもそれにより全てのトリビュタリ信号が切り替わってしまうなどの誤動作を防止することができ、システムの安定性や信頼性を向上させることができる効果がある。
【０１２７】
この発明によれば、複数の受信側トリビュタリ回路の判断結果に基づいてトリビュタリ信号の出力先を切り替える分配回路は、それぞれの判別結果に基づいて複数のシフト量を生成する位相差識別回路と、この複数のシフト量の中から最も一致する値のシフト量を抽出する位相差判定回路と、この抽出したシフト量だけ切り替える切替回路とからなるので、複数の判断結果それぞれに基づいてシフト量を演算し、その複数のシフト量から最も確からしいシフト量を抽出して切り替えることができるので、ほぼ１回の切り替え動作にてトリビュタリ信号を適当な受信側トリビュタリ回路に分配させることができる効果がある。
【０１２８】
この発明によれば、分配回路は、複数のシフト量の中において最も一致する値が複数存在する場合には切り替えないので、主信号経路などが不安定で不確かな場合に誤まってトリビュタリ信号の分配先を切り替えてしまうことを防止することができる効果がある。
【０１２９】
この発明によれば、分配回路は、複数のシフト量が過半数において一致しない場合には切り替えないので、主信号経路などが不安定で不確かな場合に誤まってトリビュタリ信号の分配先を切り替えてしまうことを防止することができる効果がある。
【０１３０】
この発明によれば、分配回路は、全てのシフト量が一致しない場合には切り替えないので、主信号経路などが不安定で不確かな場合に誤まってトリビュタリ信号の分配先を切り替えてしまうことを確実に防止することができる効果がある。
【０１３１】
この発明によれば、分配回路は、抽出無効信号を出力したもののシフト量を除いてシフト量の抽出を行うので、主信号経路などが不安定で不確かな場合であってもそのうちから確からしい１乃至複数の識別コードに基づいてトリビュタリ信号の分配先を切り替えることができる効果がある。
【０１３２】
この発明によれば、分配回路は、抽出無効信号を出力するものが過半数を超えたときは切り替えないので、主信号経路などが不安定で不確かな場合に誤まってトリビュタリ信号の分配先を切り替えてしまうことを確実に防止することができる効果がある。
【０１３３】
この発明によれば、分配回路は、抽出無効信号を出力するものが存在するときは切り替えないので、主信号経路などが不安定で不確かな場合に誤まってトリビュタリ信号の分配先を切り替えてしまうことを確実に防止することができる効果がある。
【図面の簡単な説明】
【図１】  この発明の実施の形態１によるトリビュタリ信号の多重送信システムの構成を示すブロック図である。
【図２】  この発明の実施の形態１によるコード識別回路の内部構成を示す詳細なブロック図である。
【図３】  この発明の実施の形態１による分配回路の内部構成を示す詳細なブロック図である。
【図４】  この発明の実施の形態１において分配回路により実行される動作を示すフローチャートである。
【図５】  この発明の実施の形態１のトリビュタリ信号の多重送信システムの分配動作例を示すタイミングチャートである。
【図６】  この発明の実施の形態２によるトリビュタリ信号の多重送信システムの構成を示すブロック図である。
【図７】  この発明の実施の形態２によるコード識別回路の内部構成を示す詳細なブロック図である。
【図８】  この発明の実施の形態２によるコード抽出回路の内部構成を示す詳細なブロック図である。
【図９】  この発明の実施の形態２による分配回路の内部構成を示す詳細なブロック図である。
【図１０】  この発明の実施の形態２において分配回路により実行される動作を示すフローチャートである。
【図１１】  この発明の実施の形態２のトリビュタリ信号の多重送信システムの分配動作例を示すタイミングチャートである。
【図１２】  この発明の実施の形態２のトリビュタリ信号の多重送信システムの他の分配動作例を示すタイミングチャートである。
【図１３】  この発明の実施の形態２のトリビュタリ信号の多重送信システムの他の分配動作例を示すタイミングチャートである。
【図１４】  この発明の実施の形態３によるコード識別回路の構成を示すブロック図である。
【図１５】  この発明の実施の形態４によるコード識別回路の構成を示すブロック図である。
【図１６】  この発明の実施の形態４による分配回路の構成を示すブロック図である。
【図１７】  この発明の実施の形態５において分配回路により実行される動作を示すフローチャートである。
【図１８】  この発明の実施の形態６において分配回路により実行される動作を示すフローチャートである。
【図１９】  この発明の実施の形態７において分配回路により実行される動作を示すフローチャートである。
【図２０】  この発明の実施の形態７のトリビュタリ信号の多重送信システムの分配動作例を示すタイミングチャートである。
【図２１】  この発明の実施の形態８において分配回路により実行される動作を示すフローチャートである。
【図２２】  この発明の実施の形態９において分配回路により実行される動作を示すフローチャートである。
【図２３】  この発明の実施の形態１０によるトリビュタリ信号の多重送信システムの構成を示すブロック図である。
【図２４】  この発明の実施の形態１０によるコード識別回路内のコード抽出回路の構成を示すブロック図である。
【図２５】  この発明の実施の形態１１によるコード抽出回路の構成を示すブロック図である。
【図２６】  この発明の実施の形態１２によるトリビュタリ信号の多重送信システムの構成を示すブロック図である。
【図２７】  この発明の実施の形態１２によるコード識別回路内のコード抽出回路の構成を示すブロック図である。
【図２８】  この発明の実施の形態１３によるコード抽出回路の構成を示すブロック図である。
【図２９】  従来のバーチャルコンテナ多重化方式をベースとした同期網インタフェースシステムの構成を示すブロック図である。
【図３０】  従来の同期網インタフェースシステムで利用されているＳＴＭ−Ｎフレームの構成を示す説明図である。
【符号の説明】
１  送信装置、２  受信装置、３  光ケーブル（主信号経路）、４  送信側トリビュタリ回路、５  多重化回路、６  分離回路、７  受信側トリビュタリ回路、９，１５  分配回路、１０，１６  コード抽出回路、１１，１７，２３ａ，・・・，２３ｎ  コード一致検出回路（コード差判別回路）、１２，２２  シフト数制御回路（切替回路）、１３  方路設定回路（切替回路）、２０，２５  位相差識別回路、２１，２６  位相差判定回路、２４  収集回路（コード差判別回路）。
【図１】
0003862884.tif 000002
【図２】
0003862884.tif 000003
【図３】
0003862884.tif 000004
【図４】
0003862884.tif 000005
【図５】
0003862884.tif 000006
【図６】
0003862884.tif 000007
【図７】
0003862884.tif 000008
【図８】
0003862884.tif 000009
【図９】
0003862884.tif 000010
【図１０】
0003862884.tif 000011
【図１１】
0003862884.tif 000012
【図１２】
0003862884.tif 000013
【図１３】
0003862884.tif 000014
【図１４】
0003862884.tif 000015
【図１５】
0003862884.tif 000016
【図１６】
0003862884.tif 000017
【図１７】
0003862884.tif 000018
【図１８】
0003862884.tif 000019
【図１９】
0003862884.tif 000020
【図２０】
0003862884.tif 000021
【図２１】
0003862884.tif 000022
【図２２】
0003862884.tif 000023
【図２３】
0003862884.tif 000024
【図２４】
0003862884.tif 000025
【図２５】
0003862884.tif 000026
【図２６】
0003862884.tif 000027
【図２７】
0003862884.tif 000028
【図２８】
0003862884.tif 000029
【図２９】
0003862884.tif 000030
【図３０】
0003862884.tif 000031